(57)【要約】【課題】電極組立体の再使用のためにケースから電極組立体を取り出す際、電極組立体に損傷を与えることを抑制することができる蓄電装置のリペア方法を提供すること。【解決手段】二次電池１０のリペア方法は、二次電池１０の製造途中に行われる。リペア方法は、ケース１２を開封する開封工程を有する。開封工程は、ケース１２における上下方向Ｙ１に沿った上端部を、上下方向Ｙ１に延びる第１中心軸Ｌ１回りで切断する第１の切断工程と、ケース１２における左右方向Ｙ２に沿った両端部を、左右方向Ｙ２に延びる第２中心軸Ｌ２回りで切断する第２の切断工程と、を有する。【選択図】図４
2015191830.tif 000002
【特許請求の範囲】
【請求項１】
活物質層を有する電極が相互に絶縁された状態で層状に重なった電極組立体と、
内部に前記電極組立体を備えるケースと、を有する蓄電装置のリペア方法であって、
前記蓄電装置の製造途中に行われ、ケースを開封する開封工程を有し、
前記ケースにおける縦方向及び横方向のうちいずれか一方を第１方向とし、他方を第２方向とすると、
前記開封工程は、前記ケースにおける第１方向の一端部を切断する第１の切断工程と、
前記ケースにおける第２方向の両端部を切断する第２の切断工程と、を有することを特徴とする蓄電装置のリペア方法。
【請求項２】
前記ケースは、第２方向の両端部に、該第２方向の両端に向かうほど対向する壁部間の距離が小さくなるように傾斜するコーナ壁部を有し、前記第２の切断工程では、前記コーナ壁部を切断する請求項１に記載の蓄電装置のリペア方法。
【請求項３】
前記活物質層は、少なくとも活物質を溶剤に混練した活物質ペーストを集電体に塗布して形成されるとともに、前記電極は前記活物質層の表面を絶縁材料で覆った保護層を有し、前記第１の切断工程及び第２の切断工程は、前記溶剤、及び絶縁材料製の砥粒を含む液体を高圧液として噴射するアグレッシブジェット加工で行う請求項１又は請求項２に記載の蓄電装置のリペア方法。
【請求項４】
前記蓄電装置は、前記電極組立体と電気的に接続された電極端子を有し、該電極端子はケースの蓋に締結されており、前記蓋は前記第１方向の一端部に配置され、前記第１の切断工程では、電極端子の締結された蓋をケースから切断する請求項１〜請求項３のうちいずれか一項に記載の蓄電装置のリペア方法。
【発明の詳細な説明】
【技術分野】
【０００１】
本発明は、電極組立体と、内部に電極組立体を備えるケースと、を有する蓄電装置のリペア方法に関する。
【背景技術】
【０００２】
二次電池やキャパシタのような蓄電装置は再充電が可能であり、繰り返し使用することができるため電源として広く利用されている。一般に、容量の大きな二次電池（蓄電装置）はケースを備え、そのケース内に電極組立体及び電解液が収容されている。ケースは、有底四角筒状のケース本体と、ケース本体に電極組立体を挿入するための開口部を塞ぐ矩形平板状の蓋とからなる。そして、二次電池の製造は、ケース本体内に電極組立体を収容した後、蓋をケース本体の開口端に溶接し、ケース本体の開口部を閉塞する。その後、蓋の注液孔から電解液をケース内に注入した後、注液孔を封止することで、二次電池が製造される。
【０００３】
二次電池の製造では、ケース本体の開口端に蓋が溶接された後、ケースにおける溶接部に関しての気密性検査が行われ、ケースの良否判定が行われる。ところで、気密性検査を含め、製造工程での検査において、電池性能に影響しない程度で不良と判定された二次電池は、ケースに関しては不良であるものの、電極組立体に関しては問題の無い場合が多い。そこで、不良と判定された二次電池であっても、ケースを開封して電極組立体を取り出し、新たなケースに電極組立体を収容して二次電池とすることで、電極組立体を再使用することができる。
【０００４】
電極組立体の再使用のためには、ケースを開封した後、電極組立体をケースから取り出す必要がある。ケースの開封方法及び電極組立体の取り出し方法としては、例えば、特許文献１が挙げられる。特許文献１の正負極板の分離方法は、まず、電池の外装ケースを切断する。その後、電極部分を吊り上げてケースから取り出す。また、ケースの切断方法としては、高圧水やエネルギービームをケースに吹き付けてケースを切断する方法がある（例えば、特許文献２参照）。
【先行技術文献】
【特許文献】
【０００５】
【特許文献１】特開平９−１７４６１号公報
【特許文献２】特開２０００−２３５８７３号公報
【発明の概要】
【発明が解決しようとする課題】
【０００６】
ところで、特許文献１の正負極板の分離方法は、使用済みの二次電池のリサイクル処理のために行われる方法であるため、電極組立体をケースから取り出す際に、電極組立体に損傷を与えないようにすることは全く考慮されていない。このため、電極組立体は、切断によってケースの一端部に開口した開口部を通過させて取り出されており、電極組立体をケースから取り出す際、電極組立体の端面がケースの内面に摺接して、電極組立体に損傷を与えてしまう。このため、特許文献１の分離方法を採用して切断後のケースから電極組立体を取り出した場合には、電極組立体を再使用することができない。
【０００７】
本発明は、電極組立体の再使用のためにケースから電極組立体を取り出す際、電極組立体に損傷を与えることを抑制することができる蓄電装置のリペア方法を提供することにある。
【課題を解決するための手段】
【０００８】
上記問題点を解決するための蓄電装置のリペア方法は、活物質層を有する電極が相互に絶縁された状態で層状に重なった電極組立体と、内部に前記電極組立体を備えるケースと、を有する蓄電装置のリペア方法であって、前記蓄電装置の製造途中に行われ、ケースを開封する開封工程を有し、前記ケースにおける縦方向及び横方向のうちいずれか一方を第１方向とし、他方を第２方向とすると、前記開封工程は、前記ケースにおける第１方向の一端部を切断する第１の切断工程と、前記ケースにおける第２方向の両端部を切断する第２の切断工程と、を有することを要旨とする。
【０００９】
これによれば、第１の切断工程と第２の切断工程を行うと、ケースでは、第１方向の他端部の壁部と、その壁部に繋がり、かつ電極組立体を挟む一対の壁部だけしか残らない状態になる。そして、その残った一対の壁部における第１方向の一端及び第２方向の両端は自由端となっている。このため、残った一対の壁部は、電極組立体から離れる方向へ変形させることが可能になる。その結果、切断されたケースの内面は、電極組立体を支持する底面以外の全てが電極組立体に対し非接触の状態になる。よって、電極組立体をそのままケースから取り出せば、電極組立体をケースの内面に摺接させることなく取り出すことができる。
【００１０】
また、蓄電装置のリペア方法について、前記ケースは、第２方向の両端部に、該第２方向の両端に向かうほど対向する壁部間の距離が小さくなるように傾斜するコーナ壁部を有し、前記第２の切断工程では、前記コーナ壁部を切断する。
【００１１】
これによれば、コーナ壁部を形成する壁部同士が近いため、第２の切断工程では、コーナ壁部を形成する壁部同士を一括して切断することができ、第２の切断工程を簡単に行うことができる。また、コーナ壁部の内側には電極組立体が入り込めないため、コーナ壁部を切断すれば、電極組立体に損傷を与えずに第２の切断工程を行うことができる。
【００１２】
また、蓄電装置のリペア方法について、前記活物質層は、少なくとも活物質を溶剤に混練した活物質ペーストを集電体に塗布して形成されるとともに、前記電極は前記活物質層の表面を絶縁材料で覆った保護層を有し、前記第１の切断工程及び第２の切断工程は、前記溶剤、及び絶縁材料製の砥粒を含む液体を高圧液として噴射するアグレッシブジェット加工で行う。
【００１３】
これによれば、第１及び第２の切断工程が行われたとき、噴射された液体が電極組立体にかかる。しかし、液体に含まれる溶剤は、活物質層の成分であり、砥粒は保護層の成分であるため、かかった液体が、そのまま電極組立体に付着して残っても異物にならない。
【００１４】
また、蓄電装置のリペア方法について、前記蓄電装置は、前記電極組立体と電気的に接続された電極端子を有し、該電極端子はケースの蓋に締結されており、前記蓋は前記第１方向の一端部に配置され、前記第１の切断工程では、電極端子の締結された蓋をケースから切断する。
【００１５】
これによれば、開封工程では、電極端子と電極組立体を接続したままの状態でケースを切断することができる。このため、切断されたケースから電極組立体を取り出す際、電極端子も同時に取り出すことができる。
【発明の効果】
【００１６】
本発明によれば、電極組立体の再使用のためにケースから電極組立体を取り出す際、電極組立体に損傷を与えることを抑制することができる。
【図面の簡単な説明】
【００１７】
【図１】実施形態の二次電池を示す分解斜視図。
【図２】実施形態の二次電池の外観を示す斜視図。
【図３】（ａ）及び（ｂ）は蓋と電極端子の締結構造を示す部分断面図。
【図４】（ａ）はケースの開封工程を模式的に示す斜視図、（ｂ）はケースの開封工程を模式的に示す部分平面図。
【図５】ケースの壁部を変形させた状態を示す斜視図。
【図６】別例のケースにおける切断位置を示す斜視図。
【発明を実施するための形態】
【００１８】
以下、蓄電装置のリペア方法を二次電池のリペア方法に具体化した一実施形態を図１〜図５にしたがって説明する。
図１又は図２に示すように、蓄電装置としての二次電池１０は、金属製のケース１２を有する。ケース１２には電極組立体２０が収容されている。ケース１２は、全体として偏平な六角柱状である。ケース１２は、偏平な有底六角筒状のケース本体１３と、ケース本体１３の開口部１３ｄを閉塞する偏平な六角平板状の蓋１４とからなる。
【００１９】
ケース本体１３と蓋１４は、何れも金属製（例えば、ステンレスやアルミニウム）であり、ケース本体１３と蓋１４はレーザー溶接によって接合されている。また、本実施形態の二次電池１０は、その外周が角型をなす角型電池である。また、本実施形態の二次電池１０は、リチウムイオン電池である。
【００２０】
図３（ｂ）に示すように、電極組立体２０は、正極電極２１と負極電極２２、及び正極電極２１と負極電極２２の間を絶縁するセパレータ２３を有する。電極組立体２０は、正極電極２１と負極電極２２の間にセパレータ２３を介在させて層状とした積層体である。正極電極２１は、集電体としての矩形状の正極用金属箔（本実施形態ではアルミニウム箔）２１ａと、その正極用金属箔２１ａの両面に形成された正極活物質層２１ｂとを有する。正極活物質層２１ｂは、正極活物質、導電剤、バインダ、及び溶剤を混練した活物質ペーストを用いて製造されている。
【００２１】
負極電極２２は、集電体としての矩形状の負極用金属箔（本実施形態では銅箔）２２ａと、その負極用金属箔２２ａの両面に形成された負極活物質層２２ｂとを有する。負極活物質層２２ｂは、負極活物質、導電剤、バインダ、及び溶剤を混練した活物質ペーストを用いて製造され、正極の活物質ペースト及び負極の活物質ペーストは、同じ溶剤が用いられている。負極電極２２は、負極活物質層２２ｂの表面の全体を覆う保護層２２ｃを備えている。保護層２２ｃは、電気的絶縁性を有するセラミック粒子（絶縁材料）で構成され、セラミック粒子としては、例えば、アルミナ等が挙げられる。
【００２２】
図１に示すように、正極電極２１の一辺（長辺）の一部には、正極用金属箔２１ａを延出させて形成された正極集電タブ３１が設けられている。正極集電タブ３１は、電極組立体２０を構成する各正極電極２１において同位置に同一形状で形成されている。負極電極２２の一辺（長辺）の一部には、負極用金属箔２２ａを延出させて形成された負極集電タブ３２が設けられている。負極集電タブ３２は、電極組立体２０を構成する各負極電極２２において同位置に同一形状で形成されている。
【００２３】
電極組立体２０を構成する正極電極２１は、それぞれの正極集電タブ３１が、電極組立体２０の積層方向に沿って列状に配置されるように積層される。なお、電極組立体２０の積層方向とは、正極電極２１、セパレータ２３、及び負極電極２２が積み重ねられた方向である。同様に、電極組立体２０を構成する負極電極２２は、それぞれの負極集電タブ３２が、正極集電タブ３１と重ならないように積層方向に沿って列状に配置されるように積層される。そして、複数の正極集電タブ３１は、電極組立体２０における積層方向の一端から他端までの範囲に集められる。また、複数の負極集電タブ３２も同様に、電極組立体２０における積層方向の一端から他端までの範囲に集められる。
【００２４】
図１又は図３（ｂ）に示すように、電極組立体２０は、積層方向の両端面に矩形状の偏平面２０ａを有する。また、電極組立体２０は、上下方向の両端面うち、上端面にタブ側端面２０ｂを有し、下端面に底面２０ｃを有する。また、電極組立体２０は、偏平面２０ａに繋がる四つの面のうち、タブ側端面２０ｂ及び底面２０ｃを除く面に側面２０ｄを有する。
【００２５】
電極組立体２０には、正極集電タブ３１を集めてなる正極タブ群４５が形成されている。この正極タブ群４５の少なくとも最外の正極集電タブ３１が、正極導電部材３３と溶接されている。正極導電部材３３には、正極電極端子４１が接合されている。また、電極組立体２０には、負極集電タブ３２を集めてなる負極タブ群４６が形成されている。この負極タブ群４６の少なくとも最外の負極集電タブ３２が、負極導電部材３７と溶接されている。負極導電部材３７には、負極電極端子４２が接合されている。
【００２６】
次に、正極電極端子４１及び負極電極端子４２について説明する。なお、図３（ａ）及び図３（ｂ）には、正極電極端子４１を図示しているが、正極電極端子４１は負極電極端子４２と同一構造である。このため、以下では正極電極端子４１について説明する。以下の説明では、正極電極端子４１を負極電極端子４２と読みかえれば、負極電極端子４２の説明となる。
【００２７】
図３（ａ）及び図３（ｂ）に示すように、正極電極端子４１は、極柱部４４を有し、極柱部４４は、蓋１４に所定の間隔を空けて並設された一対の挿通孔１４ｂからケース１２の外部に突出（露出）している。蓋１４の挿通孔１４ｂの内周縁と、極柱部４４の外周面とは、絶縁リング１９によって絶縁されている。正極電極端子４１には、蓋側絶縁板５１が装着されている。
【００２８】
極柱部４４にはナット５５が螺合されている。ナット５５と蓋１４の外面１４ｃとの間には、絶縁リング１９が介装され、ナット５５と蓋１４が絶縁されている。そして、ナット５５が極柱部４４に螺合されることによって、ナット５５と、正極電極端子４１とによって、絶縁リング１９、蓋１４、及び蓋側絶縁板５１が挟持されている。ナット５５の螺合により、極柱部４４が蓋１４に締結されている。この締結状態では、Ｏリング５６は、蓋１４の内面１４ａと、正極電極端子４１との間で圧縮され、蓋１４の内面１４ａと、正極電極端子４１に密接し、挿通孔１４ｂの周囲をシールしている。
【００２９】
次に、ケース１２について詳細に説明する。
図２に示すように、ケース１２において、縦方向及び横方向のうち、一方の縦方向である上下方向Ｙ１を、本実施形態では第１方向とし、上下方向Ｙ１に延びる中心軸を第１中心軸Ｌ１とする。また、ケース１２において、他方の横方向である左右方向Ｙ２を、本実施形態では第２方向とし、左右方向Ｙ２に延びる中心軸を第２中心軸Ｌ２とする。さらに、ケース１２において、電極組立体２０の積層方向に沿う方向を前後方向Ｙ３を第３方向とする。
【００３０】
ケース１２は、平面視で六角形の有底筒状に形成されていることから、ケース１２において、前後方向Ｙ３（電極組立体２０の積層方向）の両側に設けられた壁部１２ｂは、その一部が電極組立体２０の両偏平面２０ａに沿って相互に平行となるように配置される。
【００３１】
また、ケース１２において左右方向Ｙ２の両端部であり、電極組立体２０の側面２０ｄよりも外側には、平面視三角形状のコーナ壁部１２ｃが配置される。コーナ壁部１２ｃは、前後方向Ｙ３に対向する壁部１２ｂ間の距離が、電極組立体２０における左右方向の両端に向かうほど小さくなるように傾斜させて設けられている。ケース１２内において、コーナ壁部１２ｃの内側には電極組立体２０は入り込んでおらず、空間が存在する。そして、上下方向Ｙ１と直交し、かつ左右方向Ｙ２に延びる平面で切断した場合におけるケース１２の断面形状は、左右方向Ｙ２におけるケース１２の両端に頂点を配置した六角形状（略六角形状）をなしている。
【００３２】
次に、二次電池１０のリペア方法を説明する。
二次電池１０のリペア方法は、二次電池１０の製造途中に行われる。二次電池１０の製造は、まず、電極組立体２０をケース本体１３の開口部１３ｄから挿入し、その後、ケース本体１３の開口端に蓋１４を溶接し、ケース本体１３の開口部１３ｄを閉塞するとともに、ケース１２を形成する。ケース１２が形成された状態では、蓋１４には正極電極端子４１及び負極電極端子４２がナット５５によって締結されるとともに、挿通孔１４ｂはＯリング５６によってシールされている。
【００３３】
ケース１２を形成した後、ケース１２の気密性検査が行われる。このとき、ケース本体１３と蓋１４との溶接部から気密漏れがあると、ケース１２に関して不良品と判定される。一方、溶接部からの気密漏れが無い場合は、ケース１２に関して良品と判定され、後工程に送られる。
【００３４】
不良品と判定されたケース１２であっても、ケース１２内の電極組立体２０に関しては良品である。よって、電極組立体２０をケース１２から取り出し、ケース１２を新しいものと取り換えて再使用する。このため、ケース１２の開封工程が行われる。
【００３５】
図４（ａ）に示すように、ケース１２の開封工程は、アグレッシブジェット加工で行われる。アグレッシブジェット加工は、ウォータジェット用ノズル６０から高圧液を噴射して行う。高圧液となってウォータジェット用ノズル６０から噴射される液体は、活物質ペーストの溶剤に、保護層２２ｃを形成するアルミナ製の砥粒（研磨材）を混入させたものである。
【００３６】
開封工程は、第１の切断工程と、第２の切断工程とを有する。第１の切断工程は、上下方向Ｙ１におけるケース１２の上端部（一端部）を、第１中心軸Ｌ１回りで電極組立体２０を取り囲むように切断して行われる。すなわち、図４（ａ）の２点鎖線に示す第１切断線Ｘ１に沿ってケース１２の上端部を切断する。第１の切断工程では、ケース１２において、ケース本体１３と蓋１４との溶接部よりも下側であり、電極組立体２０のタブ側端面２０ｂよりも上側の位置を切断する。これは、電極組立体２０の偏平面２０ａ及びタブ側端面２０ｂを避けた位置でケース１２を切断するためである。なお、正極集電タブ３１及び負極集電タブ３２には、ケース１２の切断によって勢いの弱まった液体が若干かかる。そして、第１の切断工程では、ケース１２の上端部を左右方向Ｙ２全体に亘って切断する。
【００３７】
第２の切断工程は、左右方向Ｙ２におけるケース１２の左右両端部を、第２中心軸Ｌ２回りで電極組立体２０を取り囲むように切断して行われる。すなわち、図４（ａ）の２点鎖線に示す第２切断線Ｘ２に沿ってケース１２の左右両端部を切断する。
【００３８】
具体的には、図４（ｂ）に示すように、第２の切断工程では、左右両端部のコーナ壁部１２ｃを切断する。コーナ壁部１２ｃは、平面視で各コーナ壁部１２ｃの対向する壁部１２ｂ間の距離が小さくなるように傾斜させて設けられている。このため、各コーナ壁部１２ｃを構成する２枚の壁部１２ｂは、一括して切断される。そして、第２の切断工程では、両方のコーナ壁部１２ｃを上下方向Ｙ１全体に亘って切断する。また、第２の切断工程では、両方のコーナ壁部１２ｃが切断されるため、電極組立体２０の両方の側面２０ｄを避けた位置で切断される。
【００３９】
図５に示すように、第１の切断工程と、第２の切断工程によってケース１２が切断されると、ケース１２では、上下方向Ｙ１の下端部に位置する底壁と、その底壁に繋がり、かつ電極組立体２０を積層方向に挟んでいた一対の壁部１２ｂだけしか残らない状態になる。そして、残った一対の壁部１２ｂにおける左右方向Ｙ２の両端は、コーナ壁部１２ｃが切断されて自由端となっている。
【００４０】
よって、残った一対の壁部１２ｂを、電極組立体２０から離れるように前後方向Ｙ３へ変形させると、切断されたケース１２の内面は、電極組立体２０を支持する底壁の内面以外全て電極組立体２０に対し非接触の状態になる。その結果、電極組立体２０をケース本体１３から吊り上げて取り出しても、電極組立体２０の偏平面２０ａ及び側面２０ｄが、ケース本体１３の内面に摺接することがない。よって、偏平面２０ａに露出した保護層２２ｃや、その保護層２２ｃに保護された負極活物質層２２ｂが損傷を受けることがない。
【００４１】
そして、取り出した電極組立体２０において、一体のナット５５を極柱部４４から螺退させ、蓋１４を正極電極端子４１及び負極電極端子４２から取り外すとともに、絶縁リング１９も蓋１４から取り外す。その後、正極導電部材３３及び負極導電部材３７が接合された電極組立体２０を、新しいケース本体１３内に収容し、上記のように、ケース１２を形成し、二次電池１０の製造を行う。
【００４２】
上記実施形態によれば、以下のような効果を得ることができる。
（１）二次電池１０の製造途中で行うリペア方法において、ケース１２の開封工程では、ケース１２の上端部を切断する第１の切断工程と、ケース１２の左右両端部を切断する第２の切断工程を行う。このため、第１及び第２の切断工程を経たケース１２は、一対の壁部１２ｂの上端及び左右両端が自由端となる。よって、切断後のケース１２は、一対の壁部１２ｂを、電極組立体２０の偏平面２０ａから離れるように変形（拡開）させることができる。したがって、電極組立体２０をケース１２から取り出す際に、偏平面２０ａ及び側面２０ｄがケース１２の内面に摺接せず、電極組立体２０に損傷を与えることなく取り出すことができる。
【００４３】
（２）ケース１２は、左右方向Ｙ２の両端部にコーナ壁部１２ｃを備え、コーナ壁部１２ｃは前後方向Ｙ３に対向する壁部１２ｂ同士が互いに近い。このため、第２の切断工程でコーナ壁部１２ｃを切断すると、対向する壁部１２ｂを一括して切断することができ、ケース１２の左右方向Ｙ２の両端を自由端に簡単にすることができる。
【００４４】
（３）コーナ壁部１２ｃは、前後方向Ｙ３に対向する壁部１２ｂ間の距離が、電極組立体２０における左右方向Ｙ２の両端に向かうほど小さくなるように傾斜させて設けられている。このため、コーナ壁部１２ｃの内側には電極組立体２０は入り込んでおらず、空間が存在する。よって、コーナ壁部１２ｃを切断すれば、電極組立体２０は損傷しない。したがって、コーナ壁部１２ｃを設けることで、電極組立体２０を損傷させることなく、第２の切断工程を簡単に行うことができる。
【００４５】
（４）第１の切断工程、及び第２の切断工程は、アグレッシブジェット加工で行われ、噴射される液体として、活物質ペーストの溶剤に、保護層２２ｃを形成するアルミナ製の砥粒を混入させたものを使う。このため、噴射された液体が電極組立体２０にかかっても、溶剤及び砥粒が異物として電極組立体２０に残らない。したがって、第１の切断工程、及び第２の切断工程を行って取り出した電極組立体２０には、異物が付着しにくく、取り出した電極組立体２０を新たなケース１２に収容した二次電池１０に異物が混入しにくい。
【００４６】
（５）二次電池１０のリペア方法は、二次電池１０の製造途中に行う気密性検査で不良品と判定された場合に行う。リペア方法では、気密不良のケース１２を開封し、良品の電極組立体２０を取り出す。そして、取り出した電極組立体２０を再使用して、新しい二次電池１０を製造する。よって、リペア方法を行うことで、良品の電極組立体２０を廃棄することはせず、資源の浪費を減らすことができる。
【００４７】
（６）開封工程は、正極電極端子４１及び負極電極端子４２が蓋１４に締結された状態で行う。このため、切断されたケース１２から電極組立体２０を取り出す際、電極組立体２０とともに、正極電極端子４１及び負極電極端子４２も取り出すことができる。
【００４８】
なお、上記実施形態は以下のように変更してもよい。
○  図６に示すように、二次電池１０のケース７０は、前後方向Ｙ３の一端に開口する四角筒状のケース本体７１と、そのケース本体７１の前端に開口した開口部を閉塞し、かつ、電極組立体２０の積層方向一方の偏平面に対向する蓋体７２と、を接合したものとしてもよい。
【００４９】
このようなケース７０を開封工程で開封する場合、縦方向である上下方向Ｙ１を第１方向とし、横方向である左右方向Ｙ２を第２方向とする。そして、第１の切断工程では、切断線Ｚ１に示すように、ケース７０における、上下方向Ｙ１の上端部（一端部）でケース本体７１及び蓋体７２を切断する。第２の切断工程では、切断線Ｚ２に示すように、ケース７０の左右両端部でケース本体７１及び蓋体７２を切断する。この場合、第１の切断工程と第２の切断工程を行う順序は特に限定されない。
【００５０】
○  第１の切断工程では、ケース１２，７０の上下方向Ｙ１の一端部として、ケース１２の下端部を切断し、第２の切断工程では、ケース１２，７０の左右方向Ｙ２の両端部を切断してもよい。この場合、第１の切断工程と第２の切断工程を行う順序は特に限定されない。
【００５１】
○  縦方向及び横方向のうち、一方の横方向である左右方向を第１方向とし、他方の縦方向である上下方向を第２方向とした場合、第１の切断工程では、ケース１２，７０の左右方向（第１方向）の左端部又は右端部を切断し、第２の切断工程では、上下方向（第２方向）の両端部を切断してもよい。この場合、第１の切断工程と第２の切断工程を行う順序は特に限定されない。
【００５２】
○  実施形態では、第１の切断工程の後に、第２の切断工程を行ったが、これに限らない。まず、第２の切断工程により、ケース１２の左右方向Ｙ２の両端部を切断し、その後、第１の切断工程により、ケース１２の上下方向Ｙ１の上端部を切断してもよい。
【００５３】
○  実施形態では、蓋１４と電極組立体２０を一体でケース１２から取り出したが、これに限らない。正極電極端子４１及び負極電極端子４２の極柱部４４からナット５５を螺退させた後に、開封工程を行い、蓋１４を電極組立体２０から取り外した後に、電極組立体２０だけをケース１２から取り出してもよい。
【００５４】
○  実施形態において、ケース１２は、左右方向Ｙ２の両端部にコーナ壁部１２ｃを備える平面視六角形状であったが、これに限らない。ケースは、左右方向Ｙ２の両端部にコーナ壁部１２ｃを備えない平面視四角形状であってもよいし、平面視楕円形状、円形状等であってもよい。
【００５５】
○  アグレッシブジェット加工で使用する液体は、溶剤にアルミナ製の砥粒を混入させたもの以外であってもよく、水に砥粒を混入させたものでもよく、砥粒はアルミナ以外でもよい。また、保護層２２ｃを形成する絶縁材料は、アルミナ以外でもよい。
【００５６】
○  第１の切断工程及び第２の切断工程では、アグレッシブジェット加工以外の方法でケース１２を切断してもよい。
○  保護層２２ｃは、正極電極２１の表面やセパレータ２３の表面に設けられていてもよい。
【００５７】
○  集電体は、正極活物質層２１ｂや負極活物質層２２ｂが形成できるものであれば、正極用金属箔２１ａや負極用金属箔２２ａに限定されるものではない。例えば、織物状や網状の基材シートを用いてもよい。
【００５８】
○  正極電極２１及び負極電極２２は、金属箔の片面に活物質層が存在する構造でもよい。
○  二次電池１０は、リチウムイオン二次電池でもよいし、他の二次電池であってもよい。要は、正極用の活物質と負極用の活物質との間をイオンが移動するとともに電荷の授受を行うものであればよい。また、蓄電装置としてキャパシタでもよい。
【００５９】
○  電極組立体２０は、積層型に限らず、帯状の正極電極と帯状の負極電極を捲回して層状に積層した捲回型であってもよい。この場合であっても、第１の切断工程及び第２の切断工程を経てケースを開封することで、電極組立体の周面及び捲回軸の両端面がケースの内面に摺接することなく取り出すことができる。
【００６０】
○  二次電池１０は、気密検査で不良と判定されたものに限らず、例えば、製造工程において、電池性能に影響しない程度に、ケース１２に傷や汚れが付着した場合にも、二次電池１０（蓄電装置）のリペア方法を適用してもよい。
【００６１】
次に、上記実施形態及び別例から把握できる技術的思想について以下に追記する。
（イ）前記蓄電装置は二次電池である蓄電装置のリペア方法。
（ロ）前記ケースは、前記電極組立体を挿入する開口部を有するケース本体と、前記ケース本体の開口部を閉塞する蓋と、を有する蓄電装置のリペア方法。
【符号の説明】
【００６２】
Ｙ１…第１方向又は第２方向としての上下方向、Ｙ２…第１方向又は第２方向としての左右方向、１０…蓄電装置としての二次電池、１２，７０…ケース、１２ｂ…壁部、１２ｃ…コーナ壁部、１４…蓋、２０…電極組立体、２１…正極電極、２１ａ…集電体としての正極用金属箔、２１ｂ…正極活物質層、２２…負極電極、２２ａ…集電体としての負極用金属箔、２２ｂ…負極活物質層、２２ｃ…保護層、４１…正極電極端子、４２…負極電極端子。
【図１】
2015191830.tif 000003
【図２】
2015191830.tif 000004
【図３】
2015191830.tif 000005
【図４】
2015191830.tif 000006
【図５】
2015191830.tif 000007
【図６】
2015191830.tif 000008